(57)【特許請求の範囲】
【請求項１】
読取範囲に翳されたＩＣカードから非接触通信で利用情報を読み取るＩＣ読取手段と、
前記ＩＣ読取手段の読取範囲と少なくとも一部が重複した読取範囲を有し、翳された二次元コード券の利用情報に係る二次元コードを光学的に読み取る光学読取手段と、
読み取られる前記各利用情報よりＩＣカード又は二次元コード券の検出を行う検出手段と、
前記検出手段にてＩＣカード及び二次元コード券が所定時間内に検出された場合、前記ＩＣカードと前記二次元コード券とが、前記ＩＣ読取手段と前記光学読取手段とに翳されたとみなして、利用者の通行を不可とする手段と、
を備える料金収受装置。
【請求項２】
読取範囲に翳されたＩＣカードから非接触通信で利用情報を読み取るＩＣ読取手段と、
前記ＩＣ読取手段の読取範囲と少なくとも一部が重複した読取範囲を有し、翳された二次元コード券の利用情報に係る二次元コードを光学的に読み取る光学読取手段と、
読み取られる前記各利用情報よりＩＣカード又は二次元コード券の検出を行う検出手段と、
前記検出手段にてＩＣカード及び二次元コード券が検出された場合、前記ＩＣカードと前記二次元コード券とが重ねられた状態で、前記ＩＣ読取手段と前記光学読取手段とに翳されたとみなして、利用者の通行を不可とする手段と、
を備える料金収受装置。
【請求項３】
読取範囲に翳されたＩＣカードからＩＣ読取手段によって非接触通信で利用情報を読み取るステップと、
前記ＩＣ読取手段の読取範囲と少なくとも一部が重複した読取範囲に翳された二次元コード券から光学読取手段によって利用情報に係る二次元コードを光学的に読み取るステップと、
読み取られる前記各利用情報よりＩＣカード又は二次元コード券の検出を行うステップと、
前記ＩＣカード及び前記二次元コード券が所定時間内に検出された場合、前記ＩＣカードと前記二次元コード券とが前記ＩＣ読取手段と前記光学読取手段とに翳されたとみなして、利用者の通行を不可とするステップと、
を備える料金収受方法。
【請求項４】
読取範囲に翳されたＩＣカードからＩＣ読取手段によって非接触通信で利用情報を読み取るステップと、
前記ＩＣ読取手段の読取範囲と少なくとも一部が重複した読取範囲に翳された二次元コード券から光学読取手段によって利用情報に係る二次元コードを光学的に読み取るステップと、
読み取られる前記各利用情報よりＩＣカード又は二次元コード券の検出を行うステップと、
前記ＩＣカード及び前記二次元コード券が検出された場合、前記ＩＣカードと前記二次元コード券とが重ねられた状態で、前記ＩＣ読取手段と前記光学読取手段とに翳されたとみなして、利用者の通行を不可とするステップと、
を備える料金収受方法。
【請求項５】
料金収受装置の通行判定部に、
券種判定部から、（１）ＩＣカードのみが検出されたか、（２）二次元コード券のみが検出されたか、（３）所定時間内に二次元コード券とＩＣカードの両方が検出されたかを受信させ、
券種判定部から、二次元コード券とＩＣカードとの両方が所定時間内に検出されたとの結果を受信したとき、二次元コード券とＩＣカードとの両方が翳されたとみなして、利用者の通行を不可とさせる、
ためのプログラム。
【請求項６】
料金収受装置の通行判定部に、
券種判定部から、（１）ＩＣカードのみが検出されたか、（２）二次元コード券のみが検出されたか、（３）二次元コード券とＩＣカードの両方が検出されたかを受信させ、
券種判定部から、二次元コード券とＩＣカードとの両方が検出されたとの結果を受信したとき、二次元コード券とＩＣカードとの両方が重ねて翳されたとみなして、利用者の通行を不可とさせる、
ためのプログラム。
【請求項７】
前記利用者の通行を不可とする手段は、前記検出手段にてＩＣカード及び二次元コード券が検出された場合、読取った利用情報に基づく照合を行うことなくエラーとして利用者の通行を阻止する、
請求項１又は請求項２記載の料金収受装置。
【請求項８】
前記利用者の通行を不可とするステップは、前記検出を行うステップにてＩＣカード及び二次元コード券が検出された場合、読取った利用情報に基づく照合を行うことなくエラーとして利用者の通行を阻止する、
請求項３又は請求項４記載の料金収受方法。
【請求項９】
前記券種判定部から、二次元コード券とＩＣカードとの両方が検出されたとの結果を受信したとき、読取った利用情報に基づく照合を行うことなくエラーとして利用者の通行を阻止する、
請求項５又は請求項６記載のプログラム。
【請求項１０】
読取範囲に翳されたＩＣカードから非接触通信で情報を読み取るＩＣ読取手段と、
前記ＩＣ読取手段の読取範囲と少なくとも一部が重複した読取範囲を有し、翳された二次元コード券の情報に係る二次元コードを光学的に読み取る光学読取手段と、
読み取られる前記各情報よりＩＣカード又は二次元コード券の検出を行う検出手段と、
前記検出手段にてＩＣカード及び二次元コード券が所定時間内に検出された場合、前記ＩＣカードと前記二次元コード券とが、前記ＩＣ読取手段と前記光学読取手段とに翳されたとみなして、ゲート部を制御する手段と、
を備える改札機。
【請求項１１】
読取範囲に翳されたＩＣカードから非接触通信で情報を読み取るＩＣ読取手段と、
前記ＩＣ読取手段の読取範囲と少なくとも一部が重複した読取範囲を有し、翳された二次元コード券の情報に係る二次元コードを光学的に読み取る光学読取手段と、
読み取られる前記各情報よりＩＣカード又は二次元コード券の検出を行う検出手段と、
前記検出手段にてＩＣカード及び二次元コード券が検出された場合、前記ＩＣカードと前記二次元コード券とが重ねられた状態で、前記ＩＣ読取手段と前記光学読取手段とに翳されたとみなして、ゲート部を制御する手段と、
を備える改札機。
【発明の詳細な説明】
【技術分野】
【０００１】
本発明の実施形態は、料金収受装置、料金収受方法、プログラム、及び改札機に関する。
【背景技術】
【０００２】
近年、鉄道やバス等の交通機関に設置される料金収受装置を利用するための乗車券として、利用情報を表す二次元コードが表示された二次元コード券や、利用情報を表すＩＣチップが内蔵されたＩＣカードが用いられている。このため、二次元コード券の二次元コードを光学的に撮像して利用情報を読み取る光学読取部と、ＩＣカードのＩＣチップと非接触通信して利用情報を読み取るＩＣ読取部と、の読取範囲の少なくとも一部が重複する読取部を備えた料金収受装置の実用化が検討されている。料金収受装置の読取部に二次元コード券又はＩＣカードを翳すことで、利用者は駅等の施設での入出場ができる。
【０００３】
しかしながら、利用者が二次元コード券とＩＣカードとの両方を、同時又は僅かな時間差を伴う所定の時間以内に読取部に翳してしまうと、（１）利用者に二次元コード券の使用意図があったにも関わらず、ＩＣカードについてのみ読取処理及び通行判定の処理がされてしまう場合や、（２）利用者にＩＣカードの使用意図があったにも関わらず、二次元コード券についてのみ読取処理及び通行判定の処理がされてしまう場合や、（３）二人の利用者が通行したものとみなされて、二次元コード券とＩＣカードとのそれぞれについて、読取処理及び通行判定の処理がされてしまう場合がある。
【先行技術文献】
【特許文献】
【０００４】
【特許文献１】特開２０１０−１９９６３５号公報
【発明の概要】
【発明が解決しようとする課題】
【０００５】
そこで、本発明が解決しようとする課題は、二次元コード券とＩＣカードとの両方が一度に読取部に翳されたときの、意図していない乗車券の利用を防止する料金収受装置及び料金収受方法を提供することである。
【課題を解決するための手段】
【０００６】
上記課題を解決するために、実施形態に係る料金収受装置は、読取範囲に翳されたＩＣカードから非接触通信で利用情報を読み取るＩＣ読取手段と、前記ＩＣ読取手段の読取範囲と少なくとも一部が重複した読取範囲を有し、翳された二次元コード券の利用情報に係る二次元コードを光学的に読み取る光学読取手段と、読み取られる前記各利用情報よりＩＣカード又は二次元コード券の検出を行う検出手段と、前記検出手段にてＩＣカード及び二次元コード券が所定時間内に検出された場合、前記ＩＣカードと前記二次元コード券とが、前記ＩＣ読取手段と前記光学読取手段とに翳されたとみなして、利用者の通行を不可とする手段と、を備える。
【０００７】
また、実施形態に係る料金収受方法は、読取範囲に翳されたＩＣカードからＩＣ読取手段によって非接触通信で利用情報を読み取るステップと、前記ＩＣ読取手段の読取範囲と少なくとも一部が重複した読取範囲に翳された二次元コード券から光学読取手段によって利用情報に係る二次元コードを光学的に読み取るステップと、読み取られる前記各利用情報よりＩＣカード又は二次元コード券の検出を行うステップと、前記ＩＣカード及び前記二次元コード券が所定時間内に検出された場合、前記ＩＣカードと前記二次元コード券とが前記ＩＣ読取手段と前記光学読取手段とに翳されたとみなして、利用者の通行を不可とするステップと、を備える。
【図面の簡単な説明】
【０００８】
【図１】第１の実施形態に係る料金収受装置の外観図。
【図２】第１の実施形態に係る料金収受装置のブロック図。
【図３】第１の実施形態に係る料金収受装置の読取部の読取範囲を示す模式図。
【図４】第１の実施形態に係る料金収受装置が行う通行可否の判定の流れを示すフローチャート。
【図５】第２の実施形態に係る料金収受装置が行う通行可否の判定の流れを示すフローチャート。
【図６】第２の実施形態に係る料金収受装置が下す通行併用許可判定のパターンの一例を示す表。
【図７】第２の実施形態に係る料金収受装置が下す通行併用許可判定のパターンの一例を示す図。
【発明を実施するための形態】
【０００９】
以下、実施形態に係る料金収受装置１及び料金収受方法を、図面を参照して説明する。
【００１０】
（第１の実施形態）
以下、第１の実施形態に係る料金収受装置１及び料金収受方法について説明する。ここで、料金収受装置１は、駅に設置される自動改札機を例にとって説明する。
【００１１】
鉄道の利用者は、駅の入場及び出場時に、料金収受装置１の読取部１１に所望の乗車券を翳す。読取部１１が読み取れる乗車券は、利用区間情報や利用金額情報等を表す二次元コードが表示された二次元コード券２と、予納金額情報や定期区間情報等を表すＩＣチップが内蔵されたＩＣカード３である。
【００１２】
利用区間情報とは、普通券や発着駅固定回数券である二次元コード券２の、利用が有効な駅区間を示す情報である。利用金額情報とは、普通券や発着固定回数券である二次元コード券２の購入金額に基づき、入場駅から出場駅までにかかる乗車運賃の限度額を示す情報である。予納金額情報とは、乗車運賃として、ＩＣカード３に予め利用者がチャージ（予納）しておける電子マネーの金額を示す情報である。定期区間情報とは、定期券であるＩＣカード３の、定期利用が有効な駅区間を示す情報である。なお、これらの情報を総称して、利用情報と称することとする。
【００１３】
まず、図１及び図２を参照して、料金収受装置１の構成について説明する。料金収受装置１は、光学読取部１２と、ＩＣ読取部１３と、券種判定部１４と、を有する読取部１１と、通行判定部１５と、ゲート部１６と、案内部１７と、精算部１８と、を備える。
【００１４】
料金収受装置１は、利用者により読取部１１へ翳された乗車券を検出し、この乗車券の利用情報を読み取り、翳された乗車券が二次元コード券２かＩＣカード３かの券種判定を行い、読み取った利用情報と入出場記録等の情報との照合の結果に基づき利用者の通行可否を判定する通行判定を行い、通行判定の結果に基づき利用者の駅への入場又は駅からの出場を制御する装置である。ここでは、これらの機能に係る構成を示す。
【００１５】
読取部１１は、利用者により翳された二次元コード券２又はＩＣカード３を検出し、この二次元コード券２又はＩＣカード３の利用情報を読み取るものである。読取部１１に読み取られた利用情報は、通行判定部１５に送信され、利用者の通行可否を判定する通行判定に用いられる。
【００１６】
光学読取部１２は、翳された二次元コード券２を検出し、翳された二次元コード券２の面を光学的に撮像するＣＣＤカメラ等を有するものである。光学読取部１２は、撮像した画像をデコードして二次元コード券２の利用情報を読み取る。デコードした二次元コードの情報は、券種判定部１４に出力される。
【００１７】
ＩＣ読取部１３は、翳されたＩＣカード３を検出し、翳されたＩＣカード３のＩＣチップと非接触通信を行うリーダライタである。ＩＣ読取部１３は、ＩＣチップから取得した情報をデコードしてＩＣカード３の利用情報を読み取る。デコードしたＩＣカード３の情報は、券種判定部１４に出力される。なお、ＩＣ読取部１３は、ＩＣカード３のＩＣチップから利用情報を読み取るだけでなく、ＩＣチップへ清算した予納金額情報等の利用情報を書き込むこともできる。
【００１８】
光学読取部１２の読取範囲とＩＣ読取部１３の読取範囲とは、少なくとも一部が重複する（図３参照）。利用客は、例えば図１に示すように、二次元コード券２又はＩＣカード３、又はこれらの両方を、読取部１１に対して翳す。読取部１１は、利用者が料金収受装置１の通路へ進入する際に翳し易いよう、料金収受装置１の通路の進行方向（図１に示す矢印方向）に対して入口付近に設置される。
【００１９】
券種判定部１４は、（１）ＩＣカード３のみが検出されたか、（２）二次元コード券２のみが検出されたか、（３）同時又は僅かな時間差を伴う所定の時間以内に、両方が検出されたか、（４）何れの乗車券も検出されていないか、のうち何れの状態にあるかに基づいて、翳された乗車券の券種を判定するものである。何れの券種の乗車券が翳されたかを示す判定結果を、券種判定結果と称する。
【００２０】
（１）ＩＣカード３のみが検出されると、券種判定部１４は、ＩＣカード３が翳されたとみなす判定をする。続いて、ＩＣ読取部１３がＩＣカード３から利用情報を読み取り、読み取ったＩＣカード３の利用情報が通行判定部１５へ送信される。
【００２１】
（２）二次元コード券２のみが検出されると、券種判定部１４は、二次元コード券２が翳されたとみなす判定をする。続いて、光学読取部１２が二次元コード券２から利用情報を読み取り、読み取った二次元コード券２の利用情報が通行判定部１５へ送信される。
【００２２】
（３）二次元コード券２とＩＣカード３との両方が検出されると、券種判定部１４は、二次元コード券２とＩＣカード３との両方が翳されたとみなす判定をする。続いて、二次元コード券２とＩＣカード３とが翳されたという券種判定結果が、通行判定部１５へ送信される。
【００２３】
（４）なお、二次元コード券２とＩＣカード３との何れの乗車券も検出されていない間、券種判定部１４は、待機状態にある。
【００２４】
通行判定部１５は、利用者の通行可否の判定をするものである。
【００２５】
通行判定部１５は、上位装置と互いに通信可能に接続されている。上位装置の図示しない記憶部には、利用された乗車券の入出場記録や、ＩＣカード３である場合は予納金額情報が、記憶されている。通行判定部１５は、ＩＣ読取部１３又は光学読取部１２が読み取った利用情報と、上位装置の図示しない記憶部に記憶される入出場記録等の情報と、の照合を行う。
【００２６】
通行判定部１５は、照合の結果である照合結果に基づき、利用者の通行可否の判定をする。利用者の通行可否の判定結果を、通行判定結果と称する。第１の実施形態に係る料金収受装置１において下される通行判定結果は、通行許可判定と、通行不可判定と、エラー判定と、がある。
【００２７】
通行判定部１５は、通行判定結果に基づき、対応した指示を、ゲート部１６及び案内部１７へ送信する。
【００２８】
照合の結果、ＩＣ読取部１３又は光学読取部１２が読み取った利用情報が、利用駅で入場又は出場可能な情報であるとき、通行判定部１５は、利用者の通行を可とする通行許可判定を下す。入場又は出場可能な情報とは、乗車券の利用情報が、上位装置に記憶される入出場記録等と矛盾しないときである。例えば、利用区間情報と対応した駅区間で、また、ＩＣカード３の場合、予納金額が必要な乗車運賃以上ある状態で、適切に利用される場合である。
【００２９】
照合の結果、ＩＣ読取部１３又は光学読取部１２が読み取った利用情報が、利用駅で入場又は出場不可な情報であるとき、通行判定部１５は、利用者の通行を不可とする通行不可判定を下す。入場又は出場不可な情報とは、乗車券の利用情報が、上位装置に記憶される入出場記録等と矛盾するときである。例えば、利用区間情報と対応した駅区間外で、また、ＩＣカード３の場合、予納金額が必要な乗車運賃より不足した状態で利用されてしまう場合等である。
【００３０】
二次元コード券２とＩＣカード３との両方が翳されたという券種判定結果であるとき、通行判定部１５は、照合することなく直ちに、利用者の通行を不可とするエラー判定を下す。
【００３１】
すなわち、乗車券の利用情報に基づき、利用者に通行許可があると判定された場合、通行許可判定が下される。乗車券の利用情報に基づき、利用者に通行許可がないと判定された場合、通行不可判定が下される。
【００３２】
エラー判定は通行不可判定の一種であるが、二次元コード券２とＩＣカード３との両方が翳されたことが検出された段階で、後述するように直ちに利用者の通行を一度阻止し、利用者に何れの乗車券を利用したいのかを確認するよう促すことを目的とする。
【００３３】
なお、通行判定部１５は、ＩＣカード３に対し後述する精算処理が必要な場合は、精算処理の指示を精算部１８へ送信する。
【００３４】
また、通行判定部１５による通行判定結果は、上位装置にも送信され、利用された乗車券の入出場記録や、ＩＣカード３である場合は予納金額情報が、上位装置の図示しない記憶部に記憶される。
【００３５】
ゲート部１６は、通行判定部１５からの指示に基づき、料金収受装置１のゲートの開閉を行うものである。
【００３６】
案内部１７は、通行判定部１５からの指示に基づき、利用者に向けて所定の案内を行うものである。案内部１７は、例えば、案内表示部や音声案内部を有する。図１に示すように、案内表示部は、利用者に向けて所定のメッセージを表示するディスプレイ等である。音声案内部は、利用者に向けて所定の警告音や音声メッセージを発信するスピーカ等である。
【００３７】
なお、案内部１７は、案内表示部や音声案内部の他にも、点滅することで異常を知らせるランプ等が追加される場合もあるし、案内表示部や音声案内部が省略される場合もある。
【００３８】
通行許可判定に対応する指示を受信すると、ゲート部１６はゲートを開き、案内部１７は「ご利用ありがとうございました」等のメッセージを流す。これを、通行許可案内と称する。通行不可判定に対応する指示を受信すると、ゲート部１６はゲートを閉じ、案内部１７は通行不可の理由に応じて「乗車券をご確認下さい」、「ＩＣカードをチャージして下さい」等のメッセージを流す。これを、通行不可案内と称する。通行不可判定の一種であるエラー判定に対応する指示を受信すると、ゲート部１６はゲートを閉じ、案内部１７は「ご利用したい乗車券１枚をお翳し下さい。」等のメッセージを流す。これを、エラー案内と称する。
【００３９】
これらのゲート部１６及び案内部１７の動作により、利用者は、通行を阻止された場合に、自身が次に取るべき行動を把握することができる。例えば、エラー案内の際には、ゲートが閉じられ、案内部１７に「ご利用したい乗車券１枚をお翳し下さい。」等のメッセージが流れることで、利用者は、二次元コード券２又はＩＣカード３の何れか１枚のみを利用するように促される。利用者は、二次元コード券２とＩＣカード３との両方を、例えば重ねた状態で翳してしまったことに気付き、使用意図のある方のみの乗車券を持ち直して翳すように行動できる。
【００４０】
精算部１８は、通行判定部１５からの指示に基づき、精算処理を実行するものである。例えば、利用者がＩＣカード３を定期区間外で利用して出場しようとした場合に、利用金額を予納金額から引き去る精算処理を実行する。また、このとき、精算部１８は、ＩＣカード３のＩＣチップへ清算後の予納金額情報を書き込む。
【００４１】
ここで、図３を参照して、料金収受装置１の読取部１１の読取範囲について説明する。
【００４２】
図３は、読取部１１の断面図を示す模式図である。光学読取部１２による二次元コードの読取範囲は、ＣＣＤカメラの撮像可能領域内であり、かつ、光学読取部１２から遠すぎない距離にある、円錐台の形状に広がる横線領域に該当する。ＩＣ読取部１３によるＩＣの読取範囲は、ＩＣチップとの非接触通信可能領域内であり、半球の形状に広がる縦線領域に該当する。
【００４３】
光学読取部１２とＩＣ読取部１３とが共通の翳し位置を有している場合のように、光学読取部１２とＩＣ読取部１３とが近接した位置にある場合、光学読取部１２の読取範囲とＩＣ読取部１３の読取範囲とは、少なくとも一部が重複する。そこで、利用者が二次元コード券２とＩＣカード３との両方を、同時又は僅かな時間差を伴う所定の時間以内に読取部１１に翳してしまう場合があるため、料金収受装置１は、図４に示すフローチャートに沿って通行可否の判定を実行する。
【００４４】
図４は、料金収受装置１が行う通行可否の判定の流れを示すフローチャートである。料金収受装置１は、券種判定結果に基づき、後述するように、ＩＣ処理、二次元コード処理、エラー処理、の何れかを行う。
【００４５】
まず、料金収受装置１の読取部１１の券種判定部１４は、ＩＣカード３が検出されたか否かを判定する（ステップＳ１１）。ＩＣ読取部１３がＩＣカード３を検出する（ステップＳ１１でＹＥＳ）、券種判定部１４は、カウンタをＮ＝０として計数する（ステップＳ１２）。続いて、券種判定部１４は、二次元コード券２が検出されたか否かを判定する（ステップＳ１３）。光学読取部１２が二次元コード券２も検出すると（ステップＳ１３でＹＥＳ）、エラー処理が実行される（ステップＳ１４）。
【００４６】
エラー処理とは、通行判定部１５が直ちにエラー判定を下し、ゲート部１６でゲートを閉じるとともに案内部１７が「ご利用したい乗車券１枚をお翳し下さい。」等のメッセージを流すエラー案内を実行する、一連の処理である。
【００４７】
二次元コード券２が検出されない場合（ステップＳ１３でＮＯ）、券種判定部１４は、カウンタＮが所定の数に達したか否かを判定する（ステップＳ１５）。このフローチャートの例においては、所定の数を３とする。カウンタＮが３に達していない場合（ステップＳ１５でＮＯ）、例えば、０．１秒等の時間Ｔ１遅延させる（ステップＳ１６）。時間Ｔ１経過後、券種判定部１４は、カウンタＮに１を加え（ステップＳ１７）、再び券種判定部１４が、二次元コード券２が検出されるか否かを判定する（ステップＳ１３）。
【００４８】
カウンタＮが３に達すると（ステップＳ１５でＹＥＳ）、すなわち、この例において０．１秒×３回＝０．３秒の所定の時間経過しても二次元コード券２が検出されないと、ＩＣ処理が実行される（ステップＳ１８）。
【００４９】
ＩＣ処理とは、ＩＣ読取部１３がＩＣカード３から利用情報を読み取り、読み取ったＩＣカード３の利用情報と、上位装置の図示しない記憶部に記憶される入出場記録等の情報との照合結果に基づき通行判定部１５が通行許可判定又は通行不可判定を下し、その通行判定結果に基づき、ゲート部１６の制御及び案内部１７が通行許可案内又は通行不可案内を実行し、また、必要な場合に、精算部１８が精算処理を実行する、一連の処理である。
【００５０】
一方、カウンタＮが３に達するまでの間に、二次元コード券２が検出されると、エラー処理が実行される（ステップＳ１４）。
【００５１】
ここで、０．３秒の遅延時間を持たせているのは、図３から分かるようにＩＣ読取範囲が二次元コード読取範囲よりも広いためである。すなわち、利用者がＩＣカード３と二次元コード券２とを読取部１１に近づけると、ＩＣカード３の方が先に読取範囲に入り、二次元コード券２は遅れて読取範囲に入る。この遅れ時間を考慮して、例えば０．３秒の遅延時間を持たせているものである。
【００５２】
ＩＣ読取部１３がＩＣカード３を検出しないと（ステップＳ１１でＮＯ）、券種判定部１４は、二次元コード券２が検出されるか否かを判定する（ステップＳ１９）。光学読取部１２が二次元コード券を検出すると（ステップＳ１９でＹＥＳ）、券種判定部１４は、カウンタをＭ＝０として計数する（ステップＳ２０）。続いて、券種判定部１４は、ＩＣカード３が検出されるか否かを判定する（ステップＳ２１）。ＩＣ読取部１３がＩＣカード３も検出すると（ステップＳ２１でＹＥＳ）、エラー処理が実行される（ステップＳ１４）。
【００５３】
ＩＣカード３の利用情報が検出されない場合（ステップＳ２１でＮＯ）、券種判定部１４は、カウンタＭが所定の数に達したか否かを判定する（ステップＳ２２）。このフローチャートの例においては、所定の数を３とする。カウンタＭが３に達していない場合（ステップＳ２３でＮＯ）、例えば、０．０５秒等の時間Ｔ２遅延させる（ステップＳ２３）。時間Ｔ２経過後、券種判定部１４は、カウンタＭに１を加え（ステップＳ２４）、再び券種判定部１４が、ＩＣカード３が検出されるか否かを判定する（ステップＳ２１）。
【００５４】
カウンタＭが３に達すると（ステップＳ２３でＹＥＳ）、すなわち、この例において０．０５秒×３回＝０．１５秒の所定の時間経過してもＩＣカード３が検出されないと、二次元コード処理が実行される（ステップＳ２５）。
【００５５】
二次元コード処理とは、光学読取部１２がＩＣカード３から利用情報を読み取り、読み取った二次元コード券２の利用情報と、上位装置の図示しない記憶部に記憶される入出場記録等の情報と、の照合結果に基づき通行判定部１５が通行許可判定又は通行不可判定を下し、その通行判定結果に基づき、ゲート部１６の制御及び案内部１７が通行許可案内又は通行不可案内を実行する、一連の処理である。
【００５６】
一方、カウンタＭが３に達するまでの間に、二次元コード券２が検出されると、エラー処理が実行される（ステップＳ１４）。
【００５７】
ここで遅延時間を持たせているのは、二次元コード読取範囲がＩＣ読取範囲よりも一時的に広くなったとき、ＩＣ読取部１３がＩＣカード３を検出する前に光学読取部１２が二次元コード券２を検出することが考えられるためである。
【００５８】
なお、券種判定部１４がＩＣカード３を検出せず（ステップＳ１１でＮＯ）、かつ二次元コード券２を検出しない間（ステップＳ１９でＮＯ）は、料金収受装置１の読取部１１は、待機状態にある。
【００５９】
以上説明した第１の実施形態に係る料金収受装置１によれば、二次元コード券２とＩＣカード３との両方が同時又は僅かな時間差を伴う所定の時間以内に翳された場合に、エラー処理が実行される。このため、利用者は、二次元コード券２とＩＣカード３との両方を手に持ったまま翳してしまったことに気付くことができ、使用意図のある方の乗車券だけを手に持ち直して再度翳すことが促される。よって、利用者の意図しない乗車券の利用を防ぐことができる。
【００６０】
（第２の実施形態）
以下、本発明の第２の実施形態に係る料金収受装置１及び料金収受方法について説明する。第２の実施形態に係る料金収受装置１は、二次元コード券２とＩＣカード３との両方が翳されたとみなされる券種判定結果であっても、エラー処理とせず、二次元コード券２の利用情報とＩＣカード３の利用情報との組み合わせに基づいて利用者の通行可否を判定する併用処理を行う点で、第１の実施形態に係る料金収受装置１と異なる。
【００６１】
第２の実施形態に係る料金収受装置１は、図２に示す第１の実施形態に係る料金収受装置１と同様の構成であるが、二次元コード券２とＩＣカード３との両方が翳されたとみなされるときの、通行可否の判定の処理が異なる。
【００６２】
二次元コード券２とＩＣカード３との両方の利用情報が検知されると、券種判定部１４は、二次元コード券２とＩＣカード３との両方が翳されたとみなす判定をする。続いて、続いて、ＩＣ読取部１３がＩＣカード３から利用情報を、光学読取部１２が二次元コード券２から利用情報を読み取り、読み取ったＩＣカード３の利用情報及び二次元コード券２の利用情報が、通行判定部１５へ送信される。
【００６３】
通行判定部１５は、ＩＣ読取部１３及び光学読取部１２が読み取った利用情報と、上位装置の図示しない記憶部に記憶される入出場記録等の情報と、の照合結果に基づき、利用者の通行可否の判定をする。第２の実施形態に係る料金収受装置１において下される通行判定結果は、通行許可判定と、通行不可判定と、に加え、併用通行許可判定と、併用通行不可判定と、がある。
【００６４】
併用通行許可判定は、通行許可判定の一種であり、ＩＣ読取部１３が読み取ったＩＣカード３の利用情報と、光学読取部１２が読み取った二次元コード券２の利用情報と、の組み合わせに基づいて、利用者が通行可能であると判定された場合のことである。
【００６５】
併用通行不可判定は、通行不可判定の一種であり、ＩＣ読取部１３が読み取ったＩＣカード３の利用情報と、光学読取部１２が読み取った二次元コード券２の利用情報と、の組み合わせに基づいて、利用者が通行可能でないと判定された場合のことである。
【００６６】
通行判定部１５は、通行判定結果に基づき、対応した指示を、ゲート部１６及び案内部１７へ送信する。
【００６７】
上記の一連の処理を、併用処理と称する。
【００６８】
なお、通行判定部１５は、ＩＣカード３に対し後述する精算処理が必要な場合は、精算処理の指示を精算部１８へ送信する。
【００６９】
通行併用許可判定に対応する指示を受信すると、ゲート部１６はゲートを開き、案内部１７は「ご利用ありがとうございました」等のメッセージを流す。又は、案内部１７は、二次元コード券２とＩＣカード３との利用内訳が利用者に分かるよう案内されてもよい。ここで、利用内訳とは、併用処理の際に、何れの乗車券がどのようにして利用されたかを示すものである。例えば、二次元コード券２が駅Ａから駅Ｂで使用され、ＩＣカード３が駅Ｂから駅Ｃの不足金額を精算した場合に駅Ｃから出場する際、「二次元コード券とＩＣカード（１４０円）のご利用ありがとうございました。」等の、利用内訳が分かる案内が実行される。これを、通行併用許可案内と称する（図６参照）。
【００７０】
通行併用不可判定に対応する指示を受信すると、ゲート部１６はゲートを閉じ、案内部１７は通行不可の理由に応じて「乗車券をご確認下さい」、「ＩＣカードをチャージして下さい」等のメッセージを流す。これを、通行併用不可案内と称する。
【００７１】
精算部１８は、例えば、二次元コード券２が駅Ａから駅Ｂで使用され、ＩＣカード３が駅Ｂから駅Ｃの不足金額を精算した場合に駅Ｃから出場する際に、不足金額をＩＣカード３の予納金額から引き去る精算処理を実行する。また、このとき、精算部１８は、ＩＣカード３のＩＣチップへ清算後の予納金額情報を書き込む。
【００７２】
図５は、第２の実施形態に係る料金収受装置１が行う通行可否の判定の流れを示すフローチャートである。第２の実施形態に係る料金収受装置１は、券種判定結果に基づき、ＩＣ処理、二次元コード処理、後述する併用処理、の何れかを行う。
【００７３】
（ステップＳ２６）以外の券種判定の流れは、第１の実施形態に係る料金収受装置１が行う券種判定の流れと同様である。同時又は僅かな時間差を伴う所定の時間以内に（ステップＳ１３でＹＥＳ、又はステップＳ２１でＹＥＳ）ＩＣカード３及び二次元コード券２が検知されると、併用処理が実行される（ステップＳ２６）。
【００７４】
併用処理とは、ＩＣ読取部１３がＩＣカード３から利用情報を読み取り、また光学読取部１２がＩＣカード３から利用情報を読み取り、読み取った二次元コード券２の利用情報とＩＣカード３の利用情報との組み合わせと、上位装置の図示しない記憶部に記憶される入出場記録等の情報との照合結果に基づき通行判定部１５が通行併用許可判定又は通行併用不可判定を下し、その通行判定結果に基づき、ゲート部１６の制御及び案内部１７が通行併用許可案内又は通行併用不可案内を実行する、一連の処理である。
【００７５】
ここで、図６及び図７を参照して、第２の実施形態に係る料金収受装置１が下す通行併用許可判定のパターンの例について説明する。
【００７６】
図６は、駅への入場時に、通行併用許可と判定されるパターンを２つと、駅からの出場時に、通行併用許可と判定されるパターンを３つと、を示す表である。
【００７７】
（入場時）
（パターン１）
照合の結果、光学読取部１２が読み取った二次元コード券２の利用情報が、利用駅で入場可能な情報であるとき、利用者の通行は可と判定される（通行併用許可）。この段階で、利用者は、２枚翳された乗車券のうち、二次元コード券２の利用により入場する。このため、「二次元コード券のご利用ありがとうございました。」等の、利用内訳が分かる案内が実行される。
【００７８】
このとき、ＩＣ読取部１３が読み取ったＩＣカード３の利用情報が、利用駅で入場可能な情報であるか否かは問わない。
【００７９】
（パターン２）
照合の結果、光学読取部１２が読み取った二次元コード券２の利用情報のうち利用区間情報が利用駅で入場不可な情報であっても、ＩＣ読取部１３が読み取ったＩＣカード３の利用情報のうち、予納金額情報が当該利用駅から二次元コード券２の利用区間までの料金以上であるとき利用者の通行は可と判定される（通行併用許可）。
【００８０】
この段階で、利用者は、２枚翳された乗車券のうち、ＩＣカード３の利用により入場する。このため、「ＩＣカードのご利用ありがとうございました。」等の、利用内訳が分かる案内が実行される。
【００８１】
（パターン３）
照合の結果、光学読取部１２が読み取った二次元コード券２の利用情報のうち利用区間情報が利用駅で入場不可な情報であっても、ＩＣ読取部１３が読み取ったＩＣカード３の利用情報のうち、定期区間情報が当該利用駅から二次元コード券２の利用区間までの区間を含むとき、利用者の通行は可と判定される（通行併用許可）。
【００８２】
この段階で、利用者は、２枚翳された乗車券のうち、ＩＣカード３の利用により入場する。このため、「ＩＣカードのご利用ありがとうございました。」等の、利用内訳が分かる案内が実行される。
【００８３】
（出場時）
（パターン４）
照合の結果、光学読取部１２が読み取った二次元コード券２の利用情報のうち利用金額情報と、ＩＣ読取部１３が読み取ったＩＣカード３の利用情報のうち予納金額情報と、を組み合わせた金額情報が、利用駅で出場可能な情報であるとき、利用者の通行は可と判定される（通行併用許可）。
【００８４】
利用者は、２枚翳された乗車券のうち、二次元コード券２と、二次元コード券２の利用金額で不足する金額を精算するためのＩＣカード３と、の両方の利用により出場する。このため、「二次元コード券とＩＣカード（１４０円）のご利用ありがとうございました。」等の、利用内訳が分かる案内が実行される。
【００８５】
出場時、二次元コード券２の利用金額で不足する金額がある場合は、ＩＣカード３の利用情報の予納金額情報からこの不足金額を精算する精算処理が実行される。
【００８６】
（パターン５）
照合の結果、光学読取部１２が読み取った二次元コード券２の利用情報のうち利用区間情報と、ＩＣ読取部１３が読み取ったＩＣカード３の利用情報のうち定期区間情報と、を組み合わせた区間情報が、利用駅で出場可能な情報であるとき、利用者の通行は可と判定される（通行併用許可）。
【００８７】
利用者は、２枚翳された乗車券のうち、二次元コード券２と、定期区間内でのＩＣカード３と、の両方の利用により出場する。このため、「二次元コード券とＩＣカード（定期区間内）のご利用ありがとうございました。」等の、利用内訳が分かる案内が実行される。
【００８８】
出場時、二次元コード券２の利用金額で不足する金額がない場合は、ＩＣカード３に対し精算処理は実行されない。
【００８９】
（パターン６）
照合の結果、光学読取部１２が読み取った二次元コード券２の利用情報のうち利用区間情報と、ＩＣ読取部１３が読み取ったＩＣカード３の利用情報のうち予納金額情報と、を組み合わせた組み合わせ情報が、利用駅で出場可能な情報であるとき、利用者の通行は可と判定される（通行併用許可）。
【００９０】
利用者は、２枚翳された乗車券のうち、二次元コード券２と、二次元コード券２の利用金額で不足する金額を精算するためのＩＣカード３と、の両方の利用により出場する。このため、「二次元コード券とＩＣカード（１４０円）のご利用ありがとうございました。」等の、利用内訳が分かる案内が実行される。
【００９１】
出場時、二次元コード券２の利用区間で不足する区間の金額がある場合は、ＩＣカード３の利用情報の予納金額情報からこの不足金額を精算する精算処理が実行される。
【００９２】
図７は、入場時及び出場時に通行併用許可と判定されるパターンの具体的な例を示す表である。
【００９３】
（例１）
パターン１により入場し、パターン４により出場する例を示す。入場駅Ａにて二次元コード券２の利用情報が入場駅Ａで入場可能な情報であるとき、利用者は、２枚翳された乗車券のうち、二次元コード券２を利用して入場することとなる。
【００９４】
続いて、二次元コード券２の利用金額情報で乗車できる区間内（駅Ｂまで）を超える駅Ｃで出場する場合、出場駅Ｃにて、二次元コード券２の利用情報のうち利用金額情報と、ＩＣカード３の利用情報のうち予納金額情報とを組み合わせた金額情報が出場駅Ｃで出場可能な情報であるとき、利用者は、２枚翳された乗車券のうち、二次元コード券２とＩＣカード３の両方を利用して出場することとなる。
【００９５】
例１では、利用者が、出場駅Ｃで二次元コード券２の精算処理を別途行う必要がなく、料金収受装置１を通って出場する際に精算処理が同時に行え、利用者にとって便宜である。
【００９６】
（例２）
パターン１により入場し、パターン５により出場する例を示す。入場駅Ａにて二次元コード券２の利用情報が入場駅Ａで入場可能な情報であるとき、利用者は、２枚翳された乗車券のうち、二次元コード券２を利用して入場することとなる。
【００９７】
続いて、出場駅Ｃにて、二次元コード券２の利用情報のうち利用区間情報とＩＣカード３の利用情報のうち定期区間情報とを組み合わせた区間情報が出場駅Ｃで出場可能な情報であるとき、利用者は、２枚翳された乗車券のうち、二次元コード券２とＩＣカード３の両方を利用して出場することとなる。
【００９８】
例２では、利用者が、二次元コード券２の乗車区間とＩＣカード３の定期区間とが重複する駅である駅Ｂで下車して、ＩＣカード３で入場し直すという手間を踏む必要がなく、駅Ｃで一度料金収受装置１を通って出場するだけで二次元コード券２とＩＣカード３の両方を利用でき、利用者にとって便宜である。
【００９９】
（例３）
パターン２により入場し、パターン６により出場する例を示す。入場駅Ａにて、二次元コード券２の利用区間情報が入場駅Ａで入場不可な情報であるが、ＩＣカード３の利用情報のうち予納金額情報が、当該入場駅Ａから、二次元コード券２の利用区間までの料金以上であるとき、利用者は、２枚翳された乗車券のうち、ＩＣカード３を利用して入場することとなる。
【０１００】
続いて、出場駅Ｃにて、二次元コード券２の利用情報のうち利用区間情報とＩＣカード３の利用情報のうち予納金額情報とを組み合わせた組み合わせ情報が出場駅Ｃで出場可能な情報であるとき、利用者は、２枚翳された乗車券のうち、二次元コード券２とＩＣカード３の両方を利用して出場することとなる。
【０１０１】
例３では、利用者が、二次元コード券２の乗車区間が開始する駅である駅Ｂで下車して、二次元コード券２で入場し直すという手間を踏む必要がなく、駅Ｃで一度料金収受装置１を通って出場するだけで二次元コード券２とＩＣカード３の両方を利用でき、利用者にとって便宜である。
【０１０２】
（例４）
パターン３により入場し、パターン５により出場する例を示す。入場駅Ａにて、二次元コード券２の利用区間情報が入場駅Ａで入場不可な情報であるが、ＩＣカード３の利用情報のうち定期区間情報が、当該入場駅Ａから二次元コード券２の利用区間までの区間を含むとき、利用者は、２枚翳された乗車券のうち、ＩＣカード３を利用して入場することとなる。
【０１０３】
続いて、出場駅Ｃにて、ＩＣカード３の利用情報のうち定期区間情報と二次元コード券２の利用情報のうち利用区間情報とを組み合わせた区間情報が出場駅Ｃで出場可能な情報であるとき、利用者は、２枚翳された乗車券のうち、二次元コード券２とＩＣカード３の両方を利用して出場することとなる。
【０１０４】
例４では、利用者が、ＩＣカード３の定期区間と二次元コード券２の乗車区間とが重複する駅である駅Ｂで下車して、二次元コード券２で入場し直すという手間を踏む必要がなく、駅Ｃで一度料金収受装置１を通って出場するだけで二次元コード券２とＩＣカード３の両方を利用でき、利用者にとって便宜である。
【０１０５】
以上説明した第２の実施形態に係る料金収受装置１によれば、二次元コード券２とＩＣカード３との両方が同時又は僅かな時間差を伴う所定の時間以内に翳された場合に、併用処理が実行される。併用処理により、利用者の使用意図が推測できる場合については、２枚の乗車券が、利用者にとって便宜なように利用されることとなる。すなわち、乗車券何れか１枚のみの利用を意図している場合、エラー処理とは異なり、利用者は、立ち止まって使用意図のある方の乗車券だけを手に持ち直して再度翳す必要がなくなる。また、乗車券両方の利用を意図している場合、利用者は、乗り越し運賃の精算処理機に立ち寄る必要や、途中の駅で下車する必要がなくなる。よって、利用者の意図しない乗車券の利用を防ぐだけでなく、利用者にとって、二次元コード券２とＩＣカード３との組み合わせに基づいた駅での入出場が可能となり、利便性が向上する。
【０１０６】
なお、第２の実施形態に係る料金収受装置１における併用処理のパターンは、ここに記載したもの以外にも複数パターン想定され得る。例えば、記載は省略しているが、入場時も、出場時も、二次元コード券２の利用情報が利用駅で入出場可能な情報であれば、出場時にも、二次元コード券２の利用により出場できることとなる。
【０１０７】
同様に、記載は省略しているが、入場時も、出場時も、二次元コード券２の利用区間情報は利用駅で入出場不可な情報であっても、ＩＣカード３の予納金額情報が利用駅で入出場可能な情報であれば、出場時にも、ＩＣカード３の利用により出場できることとなる。
【０１０８】
なお、上記第１の実施形態においては、二次元コード券２とＩＣカード３を検出した段階で直ちにエラー判定としたが、二次元コード券２の利用情報とＩＣカード３の利用情報とを読み取ってからエラー判定としてもよい。
【０１０９】
なお、本発明において二次元コードとは、例えば、ＱＲコード（登録商標）や、バーコード等の一次元コードも含む。
【０１１０】
また、ここでは、鉄道の駅で用いられる料金収受装置１を例にとって説明したが、バスの乗車口で用いられる料金収受装置１等、その他使用場面で用いられてもよい。
【０１１１】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１１２】
１…料金収受装置
２…二次元コード券
３…ＩＣカード
１１…読取部
１２…光学読取部
１３…ＩＣ読取部
１４…券種判定部
１５…通行判定部
１６…ゲート部
１７…案内部
１８…精算部 
【図１】
0006614863.tif 000002
【図２】
0006614863.tif 000003
【図３】
0006614863.tif 000004
【図４】
0006614863.tif 000005
【図５】
0006614863.tif 000006
【図６】
0006614863.tif 000007
【図７】
0006614863.tif 000008